(57)【要約】【課題】原稿を自動給紙する原稿給紙装置を備えた画像読取装置において、ジャム（紙詰まり）が生じた後の原稿の再読み取り時において、読み取った原稿画像データが欠落したり重複したりするのを防止する。【解決手段】画像読取装置は、画像読取位置を通過し終えた原稿Ｐの後端部の余白に所定マークを付与するマーク付与部２５と、当該原稿が排紙口２ｂから排紙される際に所定マークを消去するマーク消去部２６と、画像読取部が読取った原稿画像の画像データ中に上記所定マークが存在するか否かを判定して、存在すると判定した場合には当該原稿画像の画像データを消去する画像データ処理部とを備えている。【選択図】図３
2019122020.tif 000002
【特許請求の範囲】
【請求項１】
給紙口から自動読取用ガラスの上面側を通過して排紙口に至る原稿搬送路を有していて、原稿載置部にセットされた原稿を当該原稿搬送路に沿って搬送する原稿給紙装置と、該原稿搬送路における自動読取用ガラスの上面側に設定された第１読取位置を通過する原稿の一方の面の原稿画像を、該自動読取用ガラスの下面側から読取る第１読取部と、該第１読取部が読み取った原稿画像を画像データ化して保存する画像データ処理部とを備えた画像読取装置であって、
上記原稿搬送路における上記第１読取位置よりも原稿搬送方向の下流側に設けられ、当該原稿の一方の面における画像形成領域よりも原稿搬送方向の上流側の余白に第１所定マークを付与する第１マーク付与部と、
上記原稿給紙装置の上記排紙口の近傍に設けられ、上記原稿の上記余白に付された上記第１所定マークが該排紙口を通過する際に当該第１所定マークを消去する第１マーク消去部とをさらに備え、
上記画像データ処理部は、上記第１読取部が読取った上記一方の面の原稿画像の画像データ中に上記第１所定マークが存在するか否かを判定して、存在すると判定した場合には当該画像データを消去するように構成されている、画像読取装置。
【請求項２】
請求項１記載の画像読取装置において、
上記第１マーク消去部は、上記原稿の一方の面の上記余白に付された上記第１所定マークが該排紙口を通過する際に、当該第１所定マークを消去可能な第１位置と、当該第１所定マークを消去不能な第２位置との間でスライド移動可能に構成されていて、上記原稿給紙装置による原稿搬送中は上記第１位置にて使用される、画像読取装置。
【請求項３】
請求項１又は２記載の画像読取装置において、
上記第１マーク付与部は、熱により透明化するインクを用いて上記第１所定マークを付与し、
上記第１マーク消去部は、上記第１所定マークを透明化できるだけの熱を発熱するヒーター部からなる、画像読取装置。
【請求項４】
請求項１乃至３のいずれか一項に記載の画像読取装置において、
上記原稿搬送路における上記第１読取位置とは異なる第２読取位置において上記原稿の他方の面の原稿画像を読取る第２読取部をさらに備え、
上記原稿搬送路における上記第２読取位置よりも原稿搬送方向の下流側に設けられ、当該原稿の他方の面における画像形成領域よりも原稿搬送方向の上流側の余白に第２所定マークを付与する第２マーク付与部と、
上記原稿給紙装置の上記排紙口の近傍に設けられ、上記原稿の他方の面の余白に付された上記第２所定マークが該排紙口を通過する際に当該第２所定マークを消去する第２マーク消去部をさらに備え、
上記画像データ処理部は、上記第２読取部が読取った上記他方の面の原稿画像の画像データ中に上記第２所定マークが存在するか否かを判定して、存在すると判定した場合には当該画像データを消去するように構成されている、画像読取装置。
【請求項５】
請求項４記載の画像読取装置において、
上記第２マーク消去部は、上記原稿の他方の面の上記余白に付された上記第２所定マークが該排紙口を通過する際に、当該第２所定マークを消去可能な第１位置と、当該第２所定マークを消去不能な第２位置との間でスライド移動可能に構成されていて、上記原稿給紙装置による原稿搬送中は上記第１位置にて使用される、画像読取装置。
【請求項６】
請求項４又は５記載の画像読取装置において、
上記第２マーク付与部は、熱により透明化するインクを用いて上記第２所定マークを付与し、
上記第２マーク消去部は、上記第２所定マークを透明化できるだけの熱を発熱するヒーター部からなる、画像読取装置。
【請求項７】
請求項１乃至６のいずれか一項に記載の画像読取装置を備えた画像形成装置。
【発明の詳細な説明】
【技術分野】
【０００１】
本発明は、画像読取装置及び該画像読取装置を備えた画像形成装置に関する。
【背景技術】
【０００２】
従来より、原稿を自動給紙する原稿給紙装置を備えた画像読取装置は知られている。原稿給紙装置は、給紙口から自動読取用ガラスの上面側を通過して排紙口に至る原稿搬送路を有している。原稿搬送路における自動読取用ガラスの直上には画像読取位置が設定されている。自動読取時には、自動読取用ガラスの下面側にて静止した画像読取部が、画像読取位置を通過する原稿画像を光学的に読み取る。画像読取部が読み取った原稿画像は光電変換されて画像データとしてデータ記憶部に記憶される。
【先行技術文献】
【特許文献】
【０００３】
【特許文献１】特開２０１１−２０５２７３号公報
【発明の概要】
【発明が解決しようとする課題】
【０００４】
上述した原稿給紙装置を備えた画像読取装置では、原稿載置部にセットされた原稿を連続的に給紙しながら原稿画像を読み取ることが可能である。原稿の連続給紙中にジャム（原稿詰まり）が生じた場合、ユーザーは原稿搬送装置の外側カバーを開いて原稿を取り除いた後、原稿載置部に原稿を再度セットし直す必要がある。このとき、既に排紙口から排出し終わった原稿までセットすると原稿の再読み取りに要する時間が長くなる。したがって、多くの場合、ユーザーは、原稿給紙装置から完全に排出された原稿は画像読み取りが完了していると判断してその他の原稿だけを原稿載置部に再度セットする。
【０００５】
しかし、排紙口を通過中に停止した原稿については画像の読取りが完了しているか否か（つまり、当該原稿の後端が画像読取位置を通過し終えているか否か）を判断することができない。このような原稿を再セット用の原稿から除外したとする当該原稿に対応する画像データが欠落してしまう虞があるし、逆にこのような原稿を再セット用の原稿に含めると当該原稿に対応する画像データが重複保存される虞がある。
【０００６】
本発明は、かかる点に鑑みてなされたものであり、その目的とするところは、原稿を自動給紙する原稿給紙装置を備えた画像読取装置において、ジャムが発生した後の原稿の再読み取り時において、原稿画像データが欠落したり重複保存されたりするのを防止することにある。
【課題を解決するための手段】
【０００７】
本発明に係る画像読取装置は、給紙口から自動読取用ガラスの上面側を通過して排紙口に至る原稿搬送路を有していて、原稿載置部にセットされた原稿を当該原稿搬送路に沿って搬送する原稿給紙装置と、原稿搬送路における自動読取用ガラスの上面側に設定された第１読取位置を通過する原稿の一方の面の原稿画像を、該自動読取用ガラスの下面側から読取る第１読取部と、該第１読取部が読み取った原稿画像を画像データ化して保存する画像データ処理部とを備えている。
【０００８】
そして、上記原稿搬送路における上記第１読取位置よりも原稿搬送方向の下流側に設けられ、当該原稿の一方の面における画像形成領域よりも原稿搬送方向の上流側の余白に第１所定マークを付与する第１マーク付与部と、上記原稿給紙装置の上記排紙口の近傍に設けられ、上記原稿の上記余白に付された上記第１所定マークが該排紙口を通過する際に当該マークを消去する第１マーク消去部とをさらに備え、上記画像データ処理部は、上記第１読取部が読取った上記一方の面の原稿画像の画像データ中に上記第１所定マークが存在するか否かを判定して、存在すると判定した場合には当該画像データを消去するように構成されている。
【発明の効果】
【０００９】
本発明によれば、原稿を自動給紙する原稿給紙装置を備えた画像読取装置において、ジャムが発生した後の原稿画像の再読み取り時において、原稿画像データが欠落したり重複保存されたりするのを防止することができる。
【図面の簡単な説明】
【００１０】
【図１】図１は、本実施形態における画像読取装置を備えた画像形成装置を示す概略構成図である。
【図２】図２は、画像読取装置の制御系の構成を示すブロック図である。
【図３】図３は、画像読取装置に搭載された原稿給紙装置を拡大して示す拡大側面図である。
【図４】図４は、原稿の表面における画像形成領域の後端側の余白に所定マーク（第１所定マーク）が付与された様子を示す図である。
【図５】図５、マーク付与部を拡大して示す拡大側面図である。
【図６Ａ】図６Ａは、制御部により実行されるマーク付与制御の詳細を示すフローチャートである。
【図６Ｂ】図６Ｂ、制御部により実行されるジャム検知処理を含む原稿給紙制御の詳細を示すフローチャートである。
【図７】図７は、原稿が排紙口を通過中に原稿搬送が停止した場合において、当該原稿の画像読取りが完了している状態を示す図である。
【図８】図８は、原稿が排紙口を通過中に原稿搬送が停止した場合において、当該原稿の画像読取りが完了していない状態を示す図である。
【図９】図９は、実施形態２を示す図３相当図である。
【図１０】図１０は、実施形態２を示す図２相当図である。
【図１１】図１１は、原稿の裏面における画像形成領域の後端側の余白に所定マーク（第２所定マーク）が付与された様子を示す図である。
【図１２Ａ】図１２Ａは、実施形態２を示す図６Ａ相当図である。
【図１２Ｂ】図１２Ｂは、実施形態２を示す図６Ｂ相当図である。
【図１３】図１３は、実施形態２において、原稿の裏面及び表面の原稿画像の読取りが共に未完了の状態を示す図である。
【図１４】図１４は、実施形態２において、原稿の裏面の読取りが完了し且つ表面の読取りが未完了の状態を示す図である。
【図１５】図１５は、実施形態２において、原稿の表面及び裏面の読取りが共に完了した状態を示す図である。
【発明を実施するための形態】
【００１１】
以下、本発明の実施形態を図面に基づいて詳細に説明する。尚、本発明は、以下の実施形態に限定されるものではない。
【００１２】
《実施形態》
図１は、実施形態における画像読取装置Ｘを備えた複合機Ｙを示している。この複合機Ｙは、画像読取部１、原稿給紙装置２、画像形成部３、制御部４、及び操作部５（図２にのみ示す）などを備えている。尚、画像読取部１及び原稿給紙装置２によって画像読取装置Ｘが構成されている。
【００１３】
複合機Ｙは、画像読取部１で読み取られた画像データ、又は外部のパーソナルコンピュータ等の情報処理装置から入力された画像データに基づいて用紙に画像を形成する電子写真方式の画像形成装置としても機能する。
【００１４】
上記画像形成部３は、給紙カセット３０、感光体ドラム３１、帯電装置３２、現像装置３３、トナーコンテナ３４、転写ローラー３５、除電装置３６、定着ローラー３７、加圧ローラー３８、及び排紙トレイ３９などを備えている。
【００１５】
そして、画像形成部３では、上記給紙カセット３０から供給される用紙に以下の手順で画像が形成される。具体的には、先ず帯電装置３２によって上記感光体ドラム３１が所定の電位に一様に帯電される。次に、不図示のレーザースキャニングユニット（ＬＳＵ）により上記感光体ドラム３１の表面に画像データに基づく光が照射される。これにより、感光体ドラム３１の表面に静電潜像が形成される。そして、上記感光体ドラム３１上の静電潜像は上記現像装置３３によってトナー像として現像される。尚、現像装置３３には、上記トナーコンテナ３４からトナーが補給される。
【００１６】
上記感光体ドラム３１に形成されたトナー像は上記転写ローラー３５によって用紙に転写される。その後、用紙に転写されたトナー像は、その用紙が上記定着ローラー３７及び上記加圧ローラー３８の間を通過する際に上記定着ローラー３７で加熱されて溶融定着する。尚、上記感光体ドラム３１の電位は上記除電装置３６で除電される。
【００１７】
上記画像読取部１は、コンタクトガラス１１、読取ユニット１２、ミラー１３，１４、光学レンズ１５、及びＣＣＤセンサー１６を備えている。
【００１８】
上記コンタクトガラス１１は、画像読取部１の外壁を構成する矩形箱状のケース体の上面に設けられている。コンタクトガラス１１は、この上面の大半を占める固定読取用ガラス１１ａと、固定読取用ガラス１１ａの左側に位置して前後方向に延びる矩形板状の自動読取用ガラス１１ｂとで構成されている。
【００１９】
読取ユニット１２は、該ケース体内に収容されていて、ＬＥＤ光源１２１及びミラー１２２を有している。読取ユニット１２は、ステッピングモーター等の駆動モーターを用いた不図示の駆動機構によって図１における左右方向（副走査方向）へ移動可能に構成されている。そして、上記駆動モーターにより読取ユニット１２が副走査方向に移動されると、ＬＥＤ光源１２１からコンタクトガラス１１に照射される光が副走査方向に走査される。
【００２０】
上記ミラー１２２は、ＬＥＤ光源１２１から読取位置１２Ａを通過する原稿Ｐに光を照射したときの反射光をミラー１３に向けて反射させる。そして、ミラー１２２で反射した光は、ミラー１３，１４によって光学レンズ１５に導かれる。尚、ミラー１３，１４は、図示しないキャリッジに搭載されて後述するシート固定方式による読取り動作時には上記読取ユニット１２の半分の速度で副走査方向に移動する。
【００２１】
光学レンズ１５は、入射した光を集光してＣＣＤセンサー１６に入射させる。ＣＣＤセンサー１６は、原稿画像からの反射光を光電変換することによりアナログ画像データに変換して制御部（画像データ処理部）４に出力する。制御部４は、ＣＣＤセンサー１６より受信したアナログ画像データを基に原稿画像をデジタルデータ化（画像データ化）して画像データ記憶部６（図２参照）に記憶させる。
【００２２】
上記原稿給紙装置２は、原稿給紙トレイ（原稿載置部）２１、複数の搬送ローラー２２、原稿押さえ２３、排紙トレイ２４を備えた自動原稿送り装置である。また、原稿給紙装置２は、コンタクトガラス１１に対して開閉可能になっている。
【００２３】
上記原稿給紙装置２は、各搬送ローラー２２をそれぞれ不図示のモーターで駆動させることにより、上記原稿給紙トレイ２１にセットされた原稿Ｐを所定の原稿搬送路Ｔに沿って搬送する。原稿搬送路Ｔは、原稿給紙装置２の給紙口２ａから自動読取用ガラス１１ｂを通過して排紙口２ｂに至る略Ｕ字状の搬送路である。原稿給紙トレイ２１は、給紙口２ａの搬送上流側に設けられ、排紙トレイ２４は排紙口２ｂの搬送下流側に設けられている。排紙口２ｂから排出された原稿Ｐは排紙トレイ２４上に順次積載される。原稿搬送路Ｔにおける自動読取用ガラス１１ｂの上側には読取位置１２Ａが設定されている。
【００２４】
画像読取装置Ｘによる原稿画像の読取り方式としては、シートスルー方式と固定方式との二種類の方式がある。シートスルー方式では、読取ユニット１２を自動読取用ガラス１１ｂ（読取位置１２Ａ）の下面側に静止させた状態で、原稿給紙装置２により原稿Ｐを読取位置１２Ａに対して副走査方向の一側から他側に移動搬送することで各原稿Ｐの画像を読取る。一方、シート固定方式による画像読取り動作では、固定読取用ガラス１１ａ上に原稿Ｐを固定した状態で読取ユニット１２を副走査方向の一側から他側に移動させることで当該原稿Ｐの画像読み取る。尚、シート固定方式では、原稿給紙装置２は単に原稿押さえ部材として機能する。
【００２５】
図３に示すように、原稿搬送路Ｔにおける上記読取位置１２Ａよりも搬送下流側には、読取位置１２Ａを通過し終えた原稿Ｐに所定マークＭを付与するマーク付与部２５が設けられている。また、原稿給紙装置２の排紙口２ｂの近傍には、原稿Ｐに付与された所定マークを消去するマーク消去部としてのヒーター部２６が設けられている。
【００２６】
マーク付与部２５は、熱を与えると透明化して視認不能になるインク（例えば、市販のフリクションインク等）を使用して原稿Ｐの後端部に所定マークＭを付与する。図４は、マーク付与部２５により原稿Ｐに付与された所定マークＭの一例を示している。同図に示すように、マーク付与部２５は、原稿Ｐにおける画像形成領域Ｒ１（画像を形成可能な領域）よりも原稿後端側の余白Ｒ２に形成される。この例では、所定マークＭは、余白Ｒ２の原稿幅方向の中央部に形成されているが、これに限ったものではなく、例えば原稿幅方向の一端部に形成するようにしてもよい。また、所定マークＭは、一例としてベタ塗りの三角形状とされているが、これ限ったものではなく、読取ユニット１２により読取り可能な大きさ及び濃度を有するマークであれば如何なるマークであってもよい。
【００２７】
図５は、マーク付与部２５を拡大して示す拡大側面図である。マーク付与部２５は、原稿幅方向（図５の紙面垂直方向）に延びる台形柱状の本体ケース部２５ａと、インクを噴射するインク孔２５ｂとを有している。本体ケース部２５ａの上面２５ｃは、原稿搬送方向の上流側から下流側に向かうほど高くなる傾斜面であって原稿Ｐをガイドするガイド面としても機能する。インク孔２５ｂは、本体ケース部２５ａの上面２５ｃにおける搬送上流側の端部に形成されている。インク孔２５ｂの位置は読取位置１２Ａ近ければ近いほど良い。マーク付与部２５（インク孔２５ｂ）が読取位置１２Ａに近付き過ぎると読取画像に陰が生じたりする虞があるので読取位置１２Ａにおける照度が所定以下に低下しないことが条件となる。本体ケース部２５ａ内には、インク孔２５ｂからインクを吐出するための機構（例えばピエゾ素子）等が内蔵されている。
【００２８】
上記ヒーター部２６は、本実施形態では排紙口２ｂの直下近傍に設けられている。ヒーター部２６は、原稿幅方向から見て台形柱状をなしている。ヒーター部２６の内部には例えば電気ヒーターが内蔵されている。ヒーター部２６の上面は、原稿搬送方向の上流側から下流側に向かって高くなる傾斜面とされている。ヒーター部２６の上面は、原稿Ｐをガイドするガイド面としても機能する。ヒーター部２６は、その上面を通過する原稿Ｐに付された上記所定マークＭを透明化できるだけの熱量を発熱可能に構成されている。
【００２９】
ヒーター部２６の原稿幅方向の寸法は所定マークＭの幅と同じかそれよりもやや大きく設定されている。ヒーター部２６は、原稿幅方向において第１位置と第２位置との間でスライド可能になっている。第１位置とは、原稿Ｐの用紙幅方向の中央部（所定マークＭが設けられる部分）がヒーター部２６を通過するような位置であって、所定マークＭをヒーター部２６の熱で透明化可能な位置である。第２位置は、例えばヒーター部２６が原稿Ｐの幅方向の両端位置よりも外側に位置にするような位置であって、所定マークＭをヒーター部２６の熱で透明化不能な位置である。ヒーター部２６は、原稿給紙装置２による原稿搬送中（画像読取り中）は上記第１位置にて使用される。
【００３０】
マーク付与部２５及びヒーター部２６は制御部４により作動制御される。制御部４は、ＣＰＵ、ＲＯＭ及びＲＡＭを有するマイクロコンピューターかなる。制御部４は、原稿Ｐの自動読取制御（後述するシートスルー方式による読取り制御）を実行する際にマーク付与部２５を作動させて原稿Ｐに所定マークＭを付与する。制御部４は、原稿Ｐのジャム発生後における自動読取り動作の再開時に、この所定マークＭの有無を判定して画像データの消去又は保存を実行する。
【００３１】
図６Ａを参照して、制御部４により原稿自動給紙時に実行されるマーク付与制御の詳細について説明する。
【００３２】
ステップＳＡ１では、画像読取装置Ｘの電源がオンされた後にヒーター部２６を作動させる。
【００３３】
ステップＳＡ２では、操作部５からの操作信号を基に、ユーザーより原稿Ｐの自動読取り指示（つまりシートスルー方式による読取り指示）があったか否かを判定し、この判定がＮＯである場合にはリターンする一方、ＹＥＳである場合にはステップＳＡ３に進む。
【００３４】
ステップＳＡ３では、原稿給紙装置２を作動させて原稿給紙トレイ２１上にセットされた原稿Ｐを一枚ずつ原稿搬送路Ｔに沿って搬送する。
【００３５】
ステップＳＡ４では、原稿搬送路Ｔに設けられた原稿検知センサー（図示省略）からの信号と搬送速度とを基に原稿Ｐの位置を算出する。そして、原稿Ｐの後端部の余白Ｒ２（図４参照）がマーク付与部２５のインク孔２５ｂに到達したと判断したときに、マーク付与部２５を作動させてインク孔２５ｂよりインクを吐出させる。そうして、当該余白に所定マークＭを付与する（図４参照）。
【００３６】
次に図６Ｂを参照して、制御部４におけるジャム検知処理を含む原稿自動給紙制御の詳細について説明する。
ステップＳＡ１０１では、原稿給紙装置２内に設けられた不図示のジャムセンサーからの信号を基にジャム（原稿詰まり）が発生しているか否かを判定して、この判定がＮＯである場合にはステップＳＡ１０７に進む一方、ＹＥＳである場合にはステップＳＡ１０２に進む。
【００３７】
ステップＳＡ１０２では、原稿給紙装置２による原稿の自動給紙動作（つまり自動読取り動作）を中断する。
【００３８】
ステップＳＡ１０３では、操作部５からの操作信号を基に、原稿Ｐの自動読取りの再開指示があったか否かを判定し、この判定がＮＯである場合には本ステップＳＡ１０３の処理を再度実行し、ＹＥＳである場合にはステップＳＡ１０４に進む。
【００３９】
ステップＳＡ１０４では、自動読取りの再開後、最初に読み込んだ原稿Ｐの原稿画像データ中に所定マークＭが存在するか否かを判定し、この判定がＮＯである場合にはステップＳＡ１０６に進む一方、ＹＥＳである場合にはステップＳＡ１０５に進む。
【００４０】
ステップＳＡ１０５では、所定マークＭが存在する当該原稿画像データを画像データ記憶部６に記憶させずにメモリから消去し、しかる後にリターンする。
【００４１】
ステップＳＡ１０６では、当該原稿画像データをそのページ情報と共に画像データ記憶部６に記憶させて、しかる後にリターンする。
【００４２】
ステップＳＡ１０１の判定がＮＯである場合に進むステップＳＡ１０７では、最初に原稿給紙トレイ２１にセットされた全ての原稿Ｐについて画像読取りが完了したか否かを判定する。この判定がＮＯである場合には、ステップＳＡ１０９に進んで原稿Ｐの自動給紙動作を続行するとともに画像読取部１のＣＣＤセンサー１６による原稿画像の読取りを実行し、しかる後にリターンする。一方、この判定がＹＥＳである場合にはステップＳＡ１０８に進んで原稿Ｐの自動給紙動作を停止し、エンドに進む。
【００４３】
以上のように構成された画像読取部１において、原稿Ｐの自動読取中（原稿給紙装置２
による給紙動作中）に紙詰まり（ジャム）が生じた場合、ユーザーは原稿給紙装置２の外側カバーを開いて紙詰まりの原因を取り除いた後、原稿給紙トレイ２１に原稿Ｐを再度セットし直す必要がある。このとき、既に排紙口２ｂから排出し終わった原稿Ｐまでセットすると原稿Ｐの再読み取りに要する時間が長くなる。したがって、多くのユーザーは、原稿給紙装置２から完全に排出された原稿Ｐの画像読み取りは完了しているものとしてその他の原稿Ｐだけを原稿給紙トレイ２１に再度セットする。
【００４４】
しかし、図７及び図８の太線で示すように、排紙口２ｂを通過中に停止した原稿Ｐについては画像の読取りが完了しているか否か（つまり、当該原稿Ｐの後端が読取位置１２Ａを通過し終えているか否か）を判断することができない。このような原稿Ｐを再セット用の原稿から除外したとすると当該原稿Ｐの画像データが欠落してしまう虞があり、逆にこのような原稿Ｐを再セット用の原稿に含めると当該原稿Ｐの画像データが重複保存される虞がある。
【００４５】
これに対して本実施形態では、原稿搬送路Ｔにおける読取位置１２Ａよりも原稿搬送方向の下流側にマーク付与部２５を設けて、読取位置１２Ａを通過した原稿Ｐについてはその後端部の余白Ｒ２（図４参照）に所定マークＭを付与するようにした。そして、ジャムが発生して原稿Ｐの読取り動作を再開した後は、制御部４において原稿画像データ中に所定マークＭが存在するか否かを判定し、存在すると判定した場合（ステップＳＡ１０４でＹＥＳの場合）には、当該原稿画像データを消去するようにした。したがって、図７の太線で示すように、原稿画像の読取りが完了した状態で停止した原稿Ｐの画像データが重複して画像データ記憶部６に保存されるのを防止することができる。一方、制御部４において原稿画像中に所定マークが存在しないと判定した場合（ステップＳＡ１０４でＮＯの場合）には、当該原稿Ｐの画像データが画像データ記憶部６に記憶される。したがって、図８の太線で示すように、原稿画像の読取りが完了しない状態で停止した原稿Ｐの画像データが保存されずに欠落することもない。
【００４６】
尚、原稿Ｐが排紙口２ｂから排出される際には、原稿Ｐに付与された所定マークＭはヒーター部２６の熱により透明化されるので、排紙トレイ２４に排出された原稿Ｐに所定マークが不必要に残って原稿Ｐが汚されることもない。
【００４７】
また、本実施形態では、ヒーター部２６は、排紙口２ｂから排出される原稿Ｐに付された所定マークＭを消去可能な第１位置と該所定マークＭを消去不能な第２位置との間でスライド移動可能に構成されている。
【００４８】
この構成によれば、ジャムの発生により排紙口２ｂを通過中に停止した原稿Ｐ（図７及び図８の太線参照）を取り出す際に、ヒーター部２６を第１位置から第２位置に移動させることで、所定マークＭがヒーター部２６の熱で意図せずに消えるのを防止できる。
【００４９】
また、本実施形態では、マーク付与部２５は、熱により透明化するインク（熱により消去可能なインク）を用いて所定マークＭを付与し、付与した所定マークＭは、ヒーター部２６の熱で消去される。
【００５０】
この構成によれば、原稿Ｐに所定マークＭが付されていた痕跡を極力残さずに所定マークＭを容易に消去することができる。
【００５１】
《実施形態２》
図９は、実施形態２を示す図３相当図である。本実施形態の画像読取装置Ｘは、原稿給紙装置２により給紙される原稿Ｐの両面（表面及び裏面）の画像を読取り可能である点で実施形態１とは異なる。以下の説明では、原稿給紙トレイ２１にセットされた原稿Ｐの上面を表面（一方の面）と定義し、当該原稿Ｐの下面を裏面（他方の面）として定義する。また、以下の実施形態において、実施形態１と同じ構成要素には同じ符号を付してその詳細な説明を省略する。
【００５２】
本実施形態の画像読取装置Ｘでは、原稿給紙装置２内の原稿搬送路Ｔの側方に、原稿Ｐの裏面の原稿画像を読取るコンタクトイメージセンサー２７が設けられている。コンタクトイメージセンサー２７は、Ｕ字状の原稿搬送路Ｔの湾曲部よりも上流側の二つの搬送ローラー２２間に設定された読取位置１２Ｂに対向して配置されている。コンタクトイメージセンサー２７は、Ｕ字状の原稿搬送路Ｔの内側に隣接して設けられている。本実施形態において、ＣＣＤセンサー１６が第１読取部に相当し、コンタクトイメージセンサー２７が第２読取部に相当する。また、読取位置１２Ａが第１読取位置に相当し、読取位置１２Ｂが第２読取位置に相当する。
【００５３】
コンタクトイメージセンサー２７は、原稿幅方向（主走査方向）に延びる箱状のセンサー筐体を備えている。センサー筐体内には、ラインセンサーや光源等の光学系素子（いずれも図示せず）が収容されている。コンタクトイメージセンサー２７は、図１０に示すように、制御部４に信号線を介して接続されている。
【００５４】
制御部４は、コンタクトイメージセンサー２７より原稿Ｐの裏面画像の画像信号を受信し、ＣＣＤセンサー１６より原稿Ｐの表面画像の画像信号を受信する。制御部４は、これらの信号を基に、原稿Ｐの原稿画像をそのページ情報及び表裏情報と共に保存する。ページ情報は、原稿画像が何枚目の原稿Ｐの画像であるかを示す情報であり、表裏情報とは、原稿画像が原稿Ｐの表面と裏面とのいずれの画像であるかを示す情報である。制御部４は、保存した原稿画像を、必要に応じてページ順及び表裏順に並べて表示画面（図示省略）に表示する。
【００５５】
上記コンタクトイメージセンサー２７の搬送下流側には、マーク付与部２８が設けられている。以下の説明では、読取位置１２Ａの下流側に設けられたマーク付与部２５を第１マーク付与部と称し、コンタクトイメージセンサー２７の下流側のマーク付与部２８を第２マーク付与部と称する。
【００５６】
第１マーク付与部２５は、原稿Ｐの表面の後端部の余白Ｒ２に所定マークＭ（以下、第１所定という）を付与する。第２マーク付与部２８は、図１１に示すように、原稿Ｐの裏面の画像形成領域ｒ１よりも原稿後端側の余白ｒ２に所定マークｍ（以下、第２所定マークという）を付与する。本実施形態では、第２マーク付与部２８が付与する第２所定マークｍは、第１マーク付与部２５が付与する第１所定マークＭとは異なっていて、例えばベタ塗りの円形状とされている。尚、第１所定マークＭと第２所定マークｍとは同じマークであってもよい。
【００５７】
第２マーク付与部２８は、第１マーク付与部２５と同様にインク孔からインクを吐出する方式で作動する。第２マーク付与部２８のインク吐出側の面は原稿搬送路Ｔに沿う平坦面であって原稿Ｐをガイドするガイド面として機能する。第２マーク付与部２８のインク孔は、コンタクトイメージセンサー２７に近いほど良い。
【００５８】
原稿給紙装置２の排紙口２ｂの近傍には、第１ヒーター部２６（第１マーク消去部）と第２ヒーター部２９（第２マーク消去部）とが設けられている。第１ヒーター部２６は、原稿Ｐの表面に付与された第１所定マークＭを熱により消去する。第１ヒーター部２６の構成は実施形態１で説明しているので詳細な説明は省略する。第２ヒーター部２９は、原稿搬送路Ｔを挟んで第１ヒーター部２６に対向して配置されている。第２ヒーター部２９は、原稿Ｐの裏面に付与された第２所定マークｍを熱により消去する。第２ヒーター部２９には、第１ヒーター部２６と同様に電気ヒーターが内蔵されている。
【００５９】
第１ヒーター部２６及び第２ヒーター部２９は、不図示の連結部材を介して連結されている。そして、第1ヒーター部２６及び第２ヒーター部２９は、原稿幅方向において第１位置と第２位置との間でスライド可能になっている。第１位置とは、原稿Ｐの用紙幅方向の中央部（第１及び第２所定マークＭ，ｍが設けられる部分）が第１及び第２ヒーター部２６，２９を通過するような位置であって、第１及び第２所定マークＭ，ｍを第１及び第２ヒーター部２６，２９の熱で透明化可能な位置である。第２位置は、例えば第１及び第２ヒーター部２６，２９が原稿Ｐの幅方向の両端位置よりも外側に位置にするような位置であって、第１及び第２所定マークＭを各ヒーター部２６，２９の熱で透明化不能な位置である。各ヒーター部２６，２９は、原稿給紙装置２による原稿搬送中（画像読取り中）は上記第１位置にて使用される。  
【００６０】
次に、図１２Ａを参照して、本実施形態の制御部４により原稿自動給紙時に実行されるマーク付与制御の詳細について説明する。
【００６１】
ステップＳＢ１では、画像読取装置Ｘの電源がオンされた後に第１ヒータ部２６及び第２ヒータ部２９を作動させる。
【００６２】
ステップＳＢ２及びＳＢ３では、実施形態１のステップＳＡ２及びＳＢ３と同様の処理を実行する。
【００６３】
ステップＳＢ４では、原稿搬送路Ｔに設けられた原稿検知センサー（図示省略）からの信号と搬送速度とを基に原稿Ｐの位置を算出する。そして、原稿Ｐの裏面の後端部の余白ｒ２（図１１参照）が第２マーク付与部２８のインク孔に到達したと判断したときに、マーク付与部２８を作動させてインク孔よりインクを吐出させる。そうして、当該余白ｒ２に第２所定マークｍ付与する。
【００６４】
ステップＳＢ５では、原稿Ｐの表面の後端部の余白Ｒ２（図４参照）が第１マーク付与部２５のインク孔２５ｂに到達したと判断したときに、第１マーク付与部２５を作動させてインク孔２５ｂよりインクを吐出させる。そうして、当該余白Ｒ２に第１所定マークＭ付与し、しかる後にリターンする。
【００６５】
次に図１２Ｂを参照して、本実施形態の制御部４におけるジャム検知処理を含む原稿自動給紙制御の詳細について説明する。
【００６６】
ステップＳＢ１０１〜ＳＢ１０３では、実施形態１のステップＳＡ１０１〜ＳＡ１０３と同様の処理を実行する。
【００６７】
ステップＳＢ１０４では、自動読取り再開後、最初に読取った原稿画像データ中に第１所定マークＭ又は第２所定マークｍが存在するか否か否かを判定する。この判定がＮＯである場合にはステップＳＢ１０６に進む一方、ＹＥＳである場合にはステップＳＢ１０５に進む。
【００６８】
ステップＳＢ１０５では、当該マークＭ，ｍが存在する面（表面又は裏面）の原稿画像データを消去する。
【００６９】
ステップＳＢ１０６では、原稿画像データをそのページ情報及び表裏情報と共に画像データ記憶部６に保存して、しかる後にリターンする。
【００７０】
ステップＳＢ１０７〜ＳＢ１０８では、実施形態１のＳＡ１０７〜ＳＡ１０８と同様の処理を実行する。
【００７１】
ステップＳＢ１０９では、原稿Ｐの自動給紙動作を続行するとともに、コンタクトイメージセンサー１７及びＣＣＤセンサー１６よる原稿画像の読取り動作実行し、しかる後にリターンする。
【００７２】
以上説明したように本実施形態では、制御部４は、ジャム発生後、画像読取装置Ｘにより最初に読取った原稿画像の画像データ中に、第１所定マークＭが存在するか否かを判定して、存在しないと判定した場合には当該画像データを画像データ記憶部６に記憶させる一方、存在すると判定した場合には当該画像データを消去するように構成されている。また、制御部４は、ジャム発生後、画像読取装置Ｘにより最初に読取った原稿画像の画像データ中に上記第２所定マークｍが存在するか否かを判定して、存在しないと判定した場合には当該画像データを画像データ記憶部６に保存する一方、存在すると判定した場合には当該画像データを消去するように構成されている。
【００７３】
これによれば、排紙口２ｂを通過中に停止した原稿Ｐの状態が、（Ｉ）裏面及び表面の読取りが共に未完了の第１状態（図１３の状態）と、（ＩＩ）裏面の読取りが完了し且つ表面の読取りが未完了の第２状態（図１４の状態）と、（ＩＩＩ）表面及び裏面の読取りが共に完了した第３状態（図１５の状態）とのいずれに該当するかに応じて、原稿画像データの保存及び消去を適切に行って、原稿Ｐの再セット後における読取り画像の欠落又は重複保存を防止することができる。
【００７４】
すなわち、上記第１状態（図１３の状態）では、原稿Ｐの後端部が第１マーク付与部２５及び第２マーク付与部２８を通過し終えていないので、原稿Ｐの後端部には第１所定マークＭ及び第２所定マークｍのいずれも付与されない。したがって、原稿Ｐの読取り再開後、当該原稿Ｐの原稿画像データは制御部４によって画像データ記憶部６に保存される（ステップＳＢ１０６）。よって、原稿画像データの欠落を防止することができる。
【００７５】
上記第２状態（図１４の状態）では、原稿Ｐの後端部が第２マーク付与部２８を通過し終えているものの第１マーク付与部２５には到達していない。このため、原稿Ｐの裏面には第２所定マークｍが付与されているが原稿Ｐの表面には第１所定マークＭが付与されていない。したがって、原稿Ｐの読取り再開後、制御部４によって原稿Ｐの裏面の画像データは消去される一方（ＳＢ１０５）、該原稿Ｐの表面の画像データは画像データ記憶部６に保存される（ステップＳＢ１０６）。よって、原稿Ｐの裏面の画像データの重複保存を防止することができる。
【００７６】
上記第３状態（図１５の状態）では、原稿Ｐの後端部が第１マーク付与部２５及び第２マーク付与部２８を通過し終えているので、原稿Ｐの表面には第１所定マークＭが付与され、原稿Ｐの裏面には第２所定マークｍが付与される。したがって、原稿Ｐの読取り再開後、制御部４によって当該原稿Ｐの表面及び裏面の画像データが共に消去されて（ステップＳＢ１０５）、画像データの重複保存を防止することができる。
【００７７】
また、本実施形態では、原稿Ｐの裏面に付与される第２所定マークｍは、表面に付与される所定マークＭとは異なっている。したがって、原稿画像の再読取り時に、作業者が原稿Ｐの表裏を誤って逆にセットした場合でも、制御部４にて読み取った所定マークの形状を基にこの誤りを認識することができる。制御部４において、原稿再セット時の表裏の誤りを認識した場合には、エラー表示を行ったり、原稿画像に付随する表裏情報を正しい情報に補正したりしてもよい。
【００７８】
《他の実施形態》
上記実施形態では、所定マークＭ（実施形態２では第１及び第２所定マークＭ，ｍ）を熱により消去するようにしているが、これに限ったものではなく、所定マークＭ（第１及び第２所定マークＭ，ｍ）を光の照射により消去可能な物質で形成してもよい。この場合、マーク消去部は、所定マークＭ（第１及び第２所定マークＭ，ｍ）に向けて光を照射する光照射部により構成される。
【００７９】
尚、上記実施形態では、所定マークＭ（実施形態２では第１及び第２所定マークＭ，ｍ）を透明化することにより消去するようにしているが、所定マークＭ（第１及び第２所定マークＭ，ｍ）を消しゴム等により直接擦り落とすことで消去するようにしてもよい。すなわち、所定マークＭ（第１及び第２所定マークＭ，ｍ）の透明化は、所定マークＭ（第１及び第２所定マークＭ，ｍ）を消去する手段の一例に過ぎず、他の如何なる方法を採用してもよい。
【００８０】
また上記実施形態１及び２では、自動読取りの再開後、最初に読み込んだ原稿Ｐの原稿画像データ中に所定マークＭ（実施形態２では第１及び第２所定マークＭ，ｍ）が存在するか否かを判定してその画像データの消去／保存処理を実行するようにしているが、これに限ったものでなく、自動読取りの再開後に読み込んだ全ての原稿Ｐについて当該処理を実行するようにしてもよい。
【００８１】
上記実施形態でが、画像形成装置一例として複合機Ｙを挙げて説明したが、これに限ったものではない。すなわち、画像形成装置は、例えば、プリンター、ファクシミリー又は複写機等であってもよい。
【産業上の利用可能性】
【００８２】
以上説明したように、本発明は、画像読取装置及び該画像読取装置を備えた画像形成装置について有用である。
【符号の説明】
【００８３】
Ｍ      ：所定マーク
Ｐ      ：原稿
Ｒ１    ：画像形成領域
Ｒ２    ：余白
ｒ１    ：画像形成領域
ｒ２    ：余白
Ｔ      ：原稿搬送路
Ｘ      ：画像読取装置
Ｙ      ：複合機（画像形成装置）
２      ：原稿給紙装置
２ａ    ：給紙口
２ｂ    ：排紙口
４      ：制御部（画像データ処理部）
６      ：画像データ記憶部
１１ｂ  ：自動読取用ガラス
１２    ：読取ユニット
１２Ａ  ：読取位置（第１読取位置）
１２Ｂ  ：読取位置（第２読取位置）
１６    ：ＣＣＤセンサー（第１読取部）
２１    ：原稿給紙トレイ（原稿載置部）
２５    ：マーク付与部
２６    ：第１ヒーター部（第１マーク消去部）
２７    ：コンタクトイメージセンサー（第２読取部）
２９    ：第２ヒーター部（第２マーク消去部）
【図１】
2019122020.tif 000003
【図２】
2019122020.tif 000004
【図３】
2019122020.tif 000005
【図４】
2019122020.tif 000006
【図５】
2019122020.tif 000007
【図６Ａ】
2019122020.tif 000008
【図６Ｂ】
2019122020.tif 000009
【図７】
2019122020.tif 000010
【図８】
2019122020.tif 000011
【図９】
2019122020.tif 000012
【図１０】
2019122020.tif 000013
【図１１】
2019122020.tif 000014
【図１２Ａ】
2019122020.tif 000015
【図１２Ｂ】
2019122020.tif 000016
【図１３】
2019122020.tif 000017
【図１４】
2019122020.tif 000018
【図１５】
2019122020.tif 000019